(57)【要約】  本発明は発火起動ガスマイクロジェネレータ（２）を備える自動車用安全装置に関するものであり、マイクロジェネレータに収容される充填材料（６）の燃焼によって発生するガスは上記装置の可動構成要素を移動、特に並進移動させるように機能する。この装置は、基本的に、上記充填材料（６）が基本的に円筒形のモノリシック構造のブロックによって構成される点、ブロックの外周面、すなわちそのジェネレータラインによって形成される面が、ブロックが収容されるレセプタクル（２１）から離間される点、及びこの装置が少なくとも半径方向において上記ブロックを所定位置に保持するためのスペーサ手段（７）を含む点で注目すべきである。
2008521675.tif 000002
【特許請求の範囲】
【請求項１】
発火起動ガスマイクロジェネレータ（２）を備える自動車用安全装置（１）であって、上記マイクロジェネレータ内に収容される充填材料（６）の燃焼によって生成されるガスが当該装置の可動構成要素（１０）を移動、特に並進移動させるように機能する、自動車用安全装置において、
上記充填材料（６）が基本的に円筒形のモノリシック構造のブロックによって構成され、
上記ブロック（６）の外周面、すなわちジェネレータラインによって画成される面が、該ブロックが収容されるレセプタクル（２１）から離間され、
当該装置が少なくとも半径方向において上記ブロック（６）を所定位置に保持するためのスペーサ手段（７；８３；９；２１４）を備えることを特徴とする、自動車用安全装置。
【請求項２】
長手方向において上記ブロックを保持するためのスペーサ手段（７；８，８３；９）を備えることを特徴とする、請求項１に記載の自動車用安全装置。
【請求項３】
上記両スペーサ手段の両方（７；９）が同一の手段であること、すなわち上記スペーサ手段が同時に半径方向及び長手方向の両方において上記ブロックを所定位置に保持するように機能することを特徴とする、請求項１又は２に記載の自動車用安全装置。
【請求項４】
上記スペーサ手段が、バネ又はエラストマ材料のパッド等、弾性変形要素（７）から成ることを特徴とする、請求項１〜３のいずれか１項に記載の自動車用安全装置。
【請求項５】
上記スペーサ手段が上記ブロック（６）を保持するために壁（８；２１１；２１０）によって保持される当接部材（８３；９；２１４）を備えることを特徴とする、請求項１〜３のいずれか１項に記載の自動車用安全装置。
【請求項６】
上記壁（８）が上記ブロック用の支持壁であることを特徴とする、請求項５に記載の自動車用安全装置。
【請求項７】
上記壁（２１１、２１０）が、上記レセプタクル（１）の壁の一要素であり、該レセプタクルの壁に取り付けられるか又は一体化されることを特徴とする、請求項５に記載の自動車用安全装置。
【請求項８】
上記充填材料（６）の質量、形状及び化学組成のパラメータのうち少なくとも１つは、上記構成要素（１０）と接触するチャンバ内のガスの圧力が上記ガスマイクロジェネレータの始動後８ｍｓ〜１４ｍｓの時間範囲内にその最大値に達すると共に始動後１５ｍｓ〜２０ｍｓの間その最大値の８０％以上に維持されるように選択されることを特徴とする、請求項１〜７のいずれか１項に記載の自動車用安全装置。
【請求項９】
上記ブロック（６）が一連の軸線方向の円筒形チャネルによる孔の開けられた円筒形の塊から成り、上記チャネルの配列が、燃焼終了時に上記ブロック（６）が例えば断面が三角形であって上記チャネル間の分離領域に対応する１組の異なる小さいロッド（Ｔ）、すなわち「燃焼コア」になるように編成されることを特徴とする、請求項８に記載の自動車用安全装置。
【請求項１０】
当該装置が安全ベルトプリテンショナ、安全ベルトバックル（Ｂ）を引っ込めるためのリトラクタ、歩行者安全システム又は安全ベルトを固定するための発火剤固定システムを構成することを特徴とする、請求項１〜９のいずれか１項に記載の自動車用安全装置。
【発明の詳細な説明】
【技術分野】
【０００１】
本発明は、発火起動されるガスマイクロジェネレータを含む自動車用安全装置に関するものであり、マイクロジェネレータに収容される充填材料の燃焼によって生成されたガスは、安全装置の構成要素を移動、特に並進移動させるように機能する。
【背景技術】
【０００２】
限定するものではない例として、安全装置は安全ベルトプリテンショナ又は安全ベルトバックルリトラクタから成る。
これら２つの適用例では、生成されたガスがピストン（又はボール）を並進させ、これによりそのストロークに亘って安全ベルト又はベルトバックルに連結されたケーブルが引っ張られる。
【０００３】
従って、発火性充填材料の燃焼によって生成されるガスがエアバッグを膨張させるジェネレータから上述のマイクロジェネレータを区別すべきである。
特許文献１、特許文献２及び特許文献３は、エアバッグ膨張のために用いられる斯かるタイプのジェネレータを示している。
【０００４】
上述のタイプの第一世代のマイクロジェネレータには、作動時間をごく短く、すなわち５ミリ秒（ｍｓ）から７ｍｓ程度（大気温度で１０立方センチメートル（ｃｍ3）に等しい内部体積を有する「爆弾（bomb）」と呼ばれるエンクロージャ内部に配置されるマイクロジェネレータで測定された時間）とするために、発火組成の粉末又は粒子が充填されていた。
【０００５】
第一の改良は、燃焼速度を速め且つ燃焼の厚みを増すためにニトロセルロースを使用することにある。実際には、斯かる組成のものは、特に排出される一酸化炭素のレベルが高いため、使用されなくなっている。
【０００６】
ニトロセルロースが使われなくなっているもう１つの理由は、自動車製造者が斯かるマイクロジェネレータの技術仕様に関してより厳しくなっていることにある。特に、テスト温度要件（すなわち、老朽化をシミュレートするためにマイクロジェネレータが人工的に受ける温度）を９０℃から１１０℃−１２０℃へ上げると、ニトロセルロースは使用に適さないものになる傾向がある。
【０００７】
現在のトレンドは、毒性が少なく、老朽化テストにより良く耐え且つ燃焼速度が速いながらも、システム性能を向上させ且つ安定したコストを保証する混合推進剤を使用することにある。
【０００８】
安全装置が迅速且つ漸進的に所定位置を取るとき（すなわち、「準瞬時（quasi-instantaneous）」起動されるとき）、及び安全装置の効果ができるだけ長くなるように、生成されたガス圧力を長時間維持するよう改良されるとき、性能が向上すると言える。
【０００９】
現在入手可能な装置について、プリテンショナに伝達される負荷の関数としてプリテンショナのストローク（又は発火アクチュエータのストローク、又はリトラクタに巻き戻されるベルトの長さ）を示す曲線が、図１において実線で示されている。曲線の下向きの傾斜が規則的で且つ比較的急であり、このことはガス流量が漸進的でないことを示している。
【００１０】
望ましいストロークが破線で示されている。これは、実際に非常に短いタイムスパンで最大ガス流量を得ることが望ましいが、その後の変化が長時間に亘ってより漸進的であることも望ましいことを意味する。
説明を分かり易くするために、２つの曲線の共通部分は重ねられて示されている。
【００１１】
特許文献４は、発火性充填材料が硬化せしめられ且つこれを収容するレセプタクルに注入されているガスジェネレータについて記載している。その結果、発火性充填材料の外周面はレセプタクルに接触する。
充填材料はブロックに形成された長手軸線方向のチャネルからのみ燃焼せしめられる。
【００１２】
硬化及び注入によって充填材料を所定位置に入れる斯かる技術は、実現が難しく、マイクロジェネレータ内部で利用できるスペースが小さいとより複雑になる。
【００１３】
この種の装置では、理論的には充填材料の作動時間を延ばし且つより漸進的に圧力上昇させることが可能であるが、システムに供給されるべきエネルギー（推進剤の質量に応じて決まる）と、燃焼されるべき発火材料の厚さ（作動時間）と、点火（細いブロックを備えた中央の非常に大きい空ボリューム）との間で妥協点を見つける必要がある。
【００１４】
特許文献５には、可燃物質の巻付けストリップによって構成される充填材料を使用するガスジェネレータが記載されている。アセンブリを統合するために、異なる厚みの巻きの間に多孔性又は有孔性の支持材料を配置することができる。この材料はいずれにしても燃料のストリップに燃焼を伝達できなければならない。
【００１５】
１つの実施形態において、（マッシュルームグリルのように）円筒形内で放射状に延びる複数のブレードによって充填材料を構成することができ、多孔性又は有孔性の材料から成る他のブレードがその間に挟まれる。
多孔性又は有孔性の材料が可燃性充填材料自体を構成しないことは明らかである。
【００１６】
斯かる構成では、燃焼可能な有効面積は非常に大きく、よって高速、均等且つ規則的な燃焼がもたらされる。
しかし、時間の関数として圧力の挙動を改良することを装置に期待することは全くできない。
【００１７】
上記特許文献１〜３によっては、これら問題は解決されない。例えば、特許文献２において、充填材料はレセプタクルと接触する。
【００１８】
特許文献６は、二重速度ジェネレータに関するものである。その構成は特殊であり、安全装置の構成要素を動かすために使用することはできない。
【００１９】
【特許文献１】米国特許第５，８０４，７５８号明細書（US-A-5,804,758）
【特許文献２】米国特許第６，１４５，８７６号明細書（US-A-6,145,876）
【特許文献３】米国特許第５，９７０，８８０号明細書（US-A-5,970,880）
【特許文献４】国際公開第０２／４３９９０号パンフレット（WO-A-02/43990）
【特許文献５】国際公開第９９／００２７５号パンフレット（WO-99-A-00275）
【特許文献６】欧州特許出願公開第１２７５５６６号明細書（EP-A-1 275 566）
【発明の開示】
【発明が解決しようとする課題】
【００２０】
従って、本発明の目的は、長時間に亘る生成されたガスの圧力の維持を改良しつつ、迅速且つ漸進的に燃焼及び位置決めさせる発火起動ガスマイクロジェネレータを含む自動車用安全装置を提供することによって上記問題を解決することにある。
【課題を解決するための手段】
【００２１】
従って、本発明は、発火起動ガスマイクロジェネレータを備える自動車用安全装置を提供する。マイクロジェネレータに収容される充填材料の燃焼によって生成されるガスは、この装置の可動構成要素を移動、特に並進移動させるように機能する。この装置は下記のことを特徴とする。
・上記充填材料が、基本的に円筒形のモノリシック構造のブロックによって構成されること。
・ブロックの外周面、すなわちジェネレータラインによって画成される面が、ブロックが収容されるレセプタクルから離間されること。
・この装置が少なくとも半径方向において上記ブロックを所定位置に保持するためのスペーサ手段を備えること。
【００２２】
上記特徴により、ブロックの最大有効面積が燃焼に曝され、燃焼に不利となるブロックの移動又は損傷をスペーサ手段が防止し、これにより性能を１つのジェネレータから別のジェネレータに再現できるようにする。
【００２３】
さらに、有利な且つ限定的ではないその他の特徴によれば、
・この装置は長手方向において上記ブロックを保持するためのスペーサ手段を備える。
・上記半径方向及び長手方向のスペーサ手段は同一の手段である。すなわち、スペーサ手段は、同時に半径方向及び長手方向の両方においてブロックを所定位置に保持するように機能する。
・上記スペーサ手段はバネ又はエラストマ材料のパッド等、弾性変形可能な構成要素から成る。
・上記スペーサ手段は上記ブロックを保持するために壁に保持される当接部材を具備する。
・上記壁は上記ブロックの支持壁である。
・上記壁は上記レセプタクルの壁の一要素であり、レセプタクルの壁に取り付けられるか又はこれと一体化される。
・上記充填材料の質量、形状及び化学組成のパラメータのうち少なくとも１つは、上記構成要素と接触するチャンバ内のガス圧力がガスマイクロジェネレータの始動後８ｍｓ〜１４ｍｓの時間範囲内にその最大値に達すると共に始動後１５ｍｓ〜２０ｍｓの間その最大値の８０％以上に維持されるように選択される。
・前記ブロックは、一連の軸線方向の円筒形チャネルによる孔の開けられた円筒形の塊から成り、上記チャネルの配列が、燃焼終了時にブロックが例えば断面が三角形であって前記チャネル間の分離領域に対応する１組の小さい異なるロッド、すなわち「燃焼コア」になるように編成される。
・装置は、安全ベルトプリテンショナ、安全ベルトバックルを引っ込めるためのリトラクタ、歩行者安全システム又は安全ベルトを固定するための発火剤固定システムを構成する。
【００２４】
本発明のその他の特徴及び利点は、添付図面を参照しながら以下の詳細な説明から明らかになる。
【発明を実施するための最良の形態】
【００２５】
図２は、本発明の自動車用安全装置を示す図である。
特に、この装置は、Ｂで参照される安全ベルトバックルを引っ込めるためのリトラクタである。
バックルは、その長さ方向のほとんどの部分が細長い円筒形の密閉シース１内に係合するケーブルＣに繋止される。
【００２６】
シース内部において、ケーブルＣはピストン構成部品１０に繋止され、このピストン構成部品１０は、シースを異なる２つのチャンバ、すなわちバックルＢに近い第一のチャンバとバックルＢから離れた第二のチャンバとに密閉的に分割する。
静止位置において、すなわち衝撃がない場合（図２に示される状態）、チャンバ１１の体積はチャンバ１２の体積よりもかなり小さい。
【００２７】
チャンバ１２内には図２に示されるポジションに向かってピストンを付勢する手段が設けられる。斯かる手段はバネ（図示せず）によって構成されてもよい。
装置のチャンバ１１は、衝撃検出器Ｄに接続されるガスマイクロジェネレータＭＧと連通する。
【００２８】
斯かる機器を有する自動車が衝撃を受けて急激に減速すると、その情報が検出器Ｄによって取得され、そして検出器はジェネレータＭＧを起動するようにジェネレータＭＧに作用する。
ジェネレータに収容された発火性充填材料の燃焼によりガスが発生せしめられ、このガスがチャンバ１１へ排出されるので、チャンバ１１の圧力が上がる。この圧力の上昇によりピストン１０が矢印ｆの方向に動かされ、これと共にケーブルＣが、従ってバックルＢが動かされる。
【００２９】
その結果、衝撃後一瞬でバックルが「引っ込められる」ので、斯かる装置が設けられたシートに座る乗員は胸に安全ベルトが押し付けられるため、乗員の安全が向上せしめられる。
【００３０】
本明細書で示される例は単なる例であり、本発明は、マイクロジェネレータに収容された充填材料の燃焼によってガスが生成されて装置の可動構成要素を移動、特に並進移動させる発火起動ガスマイクロジェネレータを備える任意の自動車用安全装置に適用されることが理解されるであろう。
【００３１】
上記構成要素は並進するほうが有用であるが、構成要素が曲線経路に沿って移動せしめられる実施形態も存在する。
図３〜６は、本発明の装置に取り付けるのに適する４つの可能な実施形態を示している。
これら４つの変形例は適切な構成のジェネレータを共有する。
【００３２】
このような条件の下で、且つ特に指定されない限り、図３を参照して以下に示される説明は、図４、５及び６にも適用される。
ジェネレータ２は、通常、軸Ｘ−Ｘ’の周りの円筒形である。
ジェネレータ２は、軸Ｘ−Ｘ’を中心とする中空金属円筒によって構成される点火装置支持体２０を具備する。
【００３３】
支持体の一方の側に小さい同軸の２つの壁２００及び２０１が設けられる。
第一の壁２００の厚みは薄く且つかなり高い。第一の壁は支持体が通り抜ける軸線方向の開口Ｏに近接する。
第二の壁２０１は第一の壁を取り囲む。この壁は比較的厚く、それほど高くない。
支持体２０の開口Ｏ内には、上述の壁の付近において、従来型のイニシエータ（点火器）３が係合し、このイニシエータはシャントリングを構成する環状部品４付近の開口を通って伸びる電極３０を有する。
【００３４】
イニシエータ３の本体と支持体の開口Ｏの壁との間にはＯリング５が係合し、この壁は支持面及び長手方向のスペーサを形成する。
壁２００の上端は軸線Ｘ−Ｘ’に向かって内側にイニシエータ上に折り曲げられ、イニシエータを長手方向において所定位置に保持する。
支持体２０はレセプタクル又はケース２１によって覆われる。
このケースは、一方の端部で開放され、他方の端部で閉鎖される円筒形の薄壁金属部品である。
特に、長手方向の円筒形壁は２１０で示され、横方向の閉鎖壁は２１１で示される。
【００３５】
外面上において、壁２１１は軸線Ｘ−Ｘ’を中心とする円形の窪み状のセットバック２１２を有し、この領域において外面には脆弱にする厚みの薄い区域が設けられることが判るであろう。
レセプタクル２１は壁２１０の自由端に設けられた周囲カラー２１３を介して支持体２０に固定される。カラーは９０°の角度で外側に向く環状フランジを構成する。
カラーは、支持体の２つの低い壁２００及び２０１の間に係合せしめられ、壁２０１はレセプタクル２１を所定位置に保持するためにカラー２１３上に折り曲げられる（クリンプされる）。
【００３６】
本発明によれば、推進剤等の発火物質６の充填材料はレセプタクル２１に収容される。
充填材料は、例えば型成形又は押出し成形によって得られる基本的に円筒形のモノリシック構造のブロックによって構成される。
ブロックの長手軸線は軸線Ｘ−Ｘ’に対して平行であり、ブロックの外周面、すなわちジェネレータラインによって画成される表面はこのブロックが収容されるレセプタクル２１から離間され、特に、壁２１０から離間される。
このことは、空気及びガスが自由に流れることができる上記外周面を取り囲む環状の空の空間Ｅが存在することを意味する。従って、以下に詳述するように、この外周面には完全に又はほぼ完全にアクセス可能である。
【００３７】
ここで説明されるジェネレータは比較的従来のものである。ただし、起動電流がケーブルを通じて伝送されるリード線マイクロガスジェネレータ（ＬＷＧ）でもよい。
さらに本発明によれば、この装置は半径方向においてブロックを保持するためのスペーサ手段を有する。
図３〜６の実施形態が異なるのはこの最後の点においてである。
【００３８】
図３を参照すると、これらスペーサ手段は螺旋バネ７を含む。
バネはイニシエータ３の一部を取り囲み、下方の壁２００の上端に当接する。その結果、バネは軸線Ｘ−Ｘ’を中心とする。
ブロック６はバネ上に載置され、このバネにより横方向に延びる端壁２１１にブロックが押し付けられる。
【００３９】
バネ７は、長手方向及び半径方向（横方向）の両方においてブロックを保持するよう機能する。バネは、ブロックを押すことによってブロックを壁２１１に当接させて、ブロックの軸線方向の移動を防止する。さらに、摩擦によって、ブロックの半径方向の移動も防止させる。
ブロック６はこのように完全に移動が防止され、このためその外周面に完全にアクセス可能になる。また、バネ７に面するブロックの横平面も、少なくともバネに直接接触しない区域においてアクセス可能であることは明らかである。
【００４０】
図示されていない別の実施形態において、バネ７を、エラストマー材のパッド等、他の弾性変形要素と取り替えることができる。
【００４１】
次に図４を参照すると、マイクロジェネレータがバネを有していないことが判る。
この場合、ブロック６は支持壁又は支持プレート８に接して配置される。
例として、この壁又はプレートは成形プラスチック材で又は金属から作ることができる。
【００４２】
このプレートは、参照番号８１で示される軸線Ｘ−Ｘ’を中心とする中央貫通孔を有する環状支持ワッシャ８０として表されている。
このワッシャの外径はレセプタクル２１の内径よりも小さい。
ワッシャの周囲から６つのタブ８２が伸びる。タブは、規則的な角度間隔で配分されてワッシャ８０の底面に対して鈍角を形成する小さい舌状部材（tongue）である。
【００４３】
直径方向反対側の２つのタブ８２の自由端間の距離はレセプタクル２１の内径よりも大きい。
しかしながら、タブ８２は多少弾性的であるため、プレート８をレセプタクル内に係合させ、タブ８２と壁２１０との間の摩擦によってプレートを所定位置に保持することができる。これが図４に示された状態である。
【００４４】
ワッシャ８０は、タブ８２から離れるように軸線方向に延び且つ軸線Ｘ−Ｘ’を中心とする低い環状壁８３を保持する。環状壁８３は貫通孔８１とワッシャの外周との間のほぼ中間から延びる。
図４に示されたように、ブロック６はワッシャ８０に当接して位置決めされ、低い壁８３によって半径方向の移動が防止される。
【００４５】
このようにして、ブロックは長手方向（プレート８及び壁２１１に接しているため）及び半径方向（低い壁８３に保持されているため）への移動が防止される。
この場合にも、支持プレート付近の横壁の大部分と同様、ブロックの外周面のほとんど（低壁に面する部分を除く）にアクセス可能である。
別の実施形態では、上記低い壁は不連続である。すなわち、円の周りに配分される複数の異なる部分から構成される。
【００４６】
図５の実施形態は、低壁８３を備えないことを除いて、上記支持プレート８と同様の支持プレート８を使用する。
この場合、ブロック６は、レセプタクル２１の横壁２１１及び長手壁２１０のベースに押し付けるのに適するような外形を有する当接形成環状部品９によって半径方向の移動が防止される。
【００４７】
リングの中央オリフィスは、異なる直径の異なる２つの部分、すなわち壁２１１と接触する直径の短い第一の部分と、（クリアランスを無視して）ブロック６の直径と同じ長い直径を有する第二の部分９１とによって構成されるように、ショルダを形成するセットバック９０を有する。
開口の部分９２は壁２１１の薄いゾーンに直接面するように位置することは明らかである。
【００４８】
このような構成によって、環状部品９及び支持プレート８は、長手方向及び半径方向の両方においてブロック６の移動を防止するように機能する。
この場合にも、ブロック６の外周面には、プレート８付近の横面のほとんどと同様にアクセス可能である。
【００４９】
最後に、図６の実施形態は、前の図に示されるプレートと同一のプレート８を使用する。
この場合、レセプタクルの壁２１０の内面から突出する材料２１４の付加的な厚みがある。
この付加的な厚みは、長手方向に延びる材料の上質のスプラインを構成する。
このようなスプラインが３つ設けられ、これらは規則的な角度で配置せしめられる。
【００５０】
クリアランスを無視すると、これらスプラインはブロック６を受容するのに適する寸法を有する。
従って、ブロックの外周面のほとんどは、プレート８付近の横面の大部分と同様にアクセス可能である。
【００５１】
イニシエータが作動されると、イニシエータは充填材料を燃焼させる。
充填材料の周りに利用可能な空間があるので、その外周面の全て又はほぼ全てに亘って燃焼が生じる。従って、レセプタクル２１内部で圧力が上昇する。この圧力上昇により壁２１１の脆弱なゾーンに破損が生じる。その後、ガスは、図２に関連して説明したようにジェネレータからチャンバ１１へと排出される。
【００５２】
このように、上記４つの変形例は、下記特徴を共有する。
・上記充填材料が基本的に円筒形のモノリシック構造のブロックによって構成される。
・上記ブロックの外周面が、ブロックが収容されるレセプタクルから離間される。
・装置が、少なくとも半径方向においてブロックを所定位置に保持するための手段を備える。
【００５３】
上記一連の特徴により、ブロックの最大有効面積が燃焼にさらされ、スペーサ手段がブロックの燃焼に不利となるようなブロックの変位又はその損傷を防止するため、斯かる性能を各ジェネレータ毎に再現可能となる。
【００５４】
本特許出願人は、これによって達成されるべき燃焼、従って位置決めが迅速かつ漸進的に可能になり、かつ発生したガスの長時間に亘る圧力維持が改良されることも発見した。
本発明の安全装置をテストし、プリテンショナに伝達される負荷の関数としてのプリテンショナ（又は発火アクチュエータ）のストローク（又はリトラクタに巻き付けられるベルトの長さ）を示す曲線として、図１に破線で示されるようなプロフィルを有するものが得られた。
斯かる曲線は、図７において先行技術のマイクロジェネレータで得られる曲線（黒い太線）の上に細い連続線で示されている。
【００５５】
さらに、時間の関数としてガス圧力を示す図８の曲線は、ガス圧力が約５ｍｓ〜７ｍｓの時間でその最大値に達すること、及び圧力が無視できない長さの時間に亘って非常に高い値を維持することを示している。これら曲線は、それぞれ大気温度で１０ｃｍ3に等しい内部体積を持つ「爆弾」と呼ばれるエンクロージャ内に配置されるマイクロジェネレータを使用することによって得られる。
【００５６】
上記結果は、図１に示されるような装置に置き換えると、チャンバ１１内部のガス圧力はマイクロジェネレータの始動後８ｍｓ〜１４ｍｓでその最大値に達すると共に始動後１５ｍｓ〜２０ｍｓもの間その最大値の少なくとも８０％で維持されることになることを意味する。
上述した状態が得られるように上記充填材料の質量、形状、化学組成パラメータの少なくとも１つを選択することが可能である。
【００５７】
ブロックの１つの実施形態が図９に示されている。この実施形態は目的が果たされることを可能にする。
ブロック６は、軸線方向を向いた一連の円筒状チャネル６０による孔が開けられた円筒形の塊によって構成される。
これらチャネルは、各チャネル（外周にあるチャネルを除く）が角度的に等間隔の隣接する６つのチャネルによって囲まれるように配置される。
【００５８】
ブロックの外周はＰＥＲで示される。
細線Ｌは、燃焼が平行層で生じるときの異なる燃焼の瞬間のブロックの形状を表している。
チャネル６０の配列は、燃焼終了時にブロックがそのモノリシック特性を失って、上記チャネル６０間の分離領域に対応する１組の小さい別個のロッドすなわち燃料コアＴになるように編成される。
【００５９】
これらコアはほぼ三角形の断面を持つ。
図９の隣の図１０に示される曲線は、燃焼厚みの関数としてブロックの外周長さを示している。
燃焼厚みの関数としてブロックの面積を示す曲線は、斯かるブロックによりガスが発生する速度を時間の関数として示す曲線とほぼ同じ曲線となるであろう。
【００６０】
この曲線は、ピークまで漸進的に上昇し、その後燃焼が曲線の立下り縁から延びる角度から尻切れになることを示している。これによって数ミリ秒作動時間を長くすることができる。
【００６１】
モノリシックブロックの使用は下記のことを可能にする。
・大量の粉末を注入するのではなく単位校正物体を位置決めすること。
・投入される組成の量を制御すること。
・モノリシック構造のブロックの形状の関数としてガスジェネレータの性能を制御すること。
・異なるガスジェネレータ間で性能を再現可能にすること。
【図面の簡単な説明】
【００６２】
【図１】本発明の自動車用安全装置の非常に図式化された図である。
【図２】上記装置に取り付けられる発火起動のガスマイクロジェネレータの一つの実施形態の中心面における縦断面図である。
【図３】上記装置に取り付けられる発火起動のガスマイクロジェネレータの一つの実施形態の中心面における縦断面図である。
【図４】上記装置に取り付けられる発火起動のガスマイクロジェネレータの一つの実施形態の中心面における縦断面図である。
【図５】上記装置に取り付けられる発火起動のガスマイクロジェネレータの一つの実施形態の中心面における縦断面図である。
【図６】プリテンショナに伝達される負荷の関数としてプリテンショナのストローク（又は発火アクチュエータのストローク。実際にはリトラクタに巻回されるベルトの長さ）を示す曲線のグラフであり、下方の太線の曲線は先行技術の装置に対応し、上方の曲線は本発明の装置に対応する。
【図７】本発明の装置における時間の関数としての圧力上昇の曲線を示している。
【図８】装置に組み込まれた推進剤ブロックの１つの可能な実施形態の端面図である。
【図９】図９のブロックの外周が燃焼面積の関数としてどのように変化するかを示す曲線である。
【図１】
2008521675.tif 000003
【図２】
2008521675.tif 000004
【図３】
2008521675.tif 000005
【図４】
2008521675.tif 000006
【図５】
2008521675.tif 000007
【図６】
2008521675.tif 000008
【図７】
2008521675.tif 000009
【図８】
2008521675.tif 000010
【図９】
2008521675.tif 000011
【図１０】
2008521675.tif 000012
【国際調査報告】
2008521675.tif 000013
2008521675.tif 000014
2008521675.tif 000015
2008521675.tif 000016
2008521675.tif 000017